(57)【要約】      （修正有）【課題】ストローを使わずに蓋単体のみで飲料を啜ることができ、かつ飲用しない時に口栓が覆われ、こぼれ防止と、外部汚染から保護でき、さらに使用済みの蓋体と口栓とキャップとを一緒にリサイクルすることができる、口栓付き及びキャップ付きのコップ用使い捨て蓋を提供する。【解決手段】ドリンクコップの開口に被せるために用いられる、口栓付き及びキャップ付きのコップ用使い捨て蓋であって、蓋体１０とキャップ２０を備え、蓋体はドリンクコップの開口を覆う天板部１１と、ドリンクコップの開口に結合するための結合部１２とを含み、天板部は上向きに突出する隆起部１３を有し、隆起部において上向きに突出する口栓１５が形成され、口栓が孔部１５１を有し、結合部は、一端が結合部に連結され他端がキャップに連結される連結片１６を含み、蓋体の天板部に、キャップが口栓から分離される状態で着脱自在に固定されるキャップ固定部３０が形成される。【選択図】図１
0003231264.tif 000002
【実用新案登録請求の範囲】
【請求項１】
ドリンクコップの開口に被せるために用いられる、口栓付き及びキャップ付きのコップ用使い捨て蓋であって、蓋体とキャップとを備え、
前記蓋体は、ドリンクコップの開口に対応する天板部と、該天板部の周縁に一体成形されるように下向きに延在する結合部と、を含み、該天板部は、該天板部と一体成型されるように上向きに突出延在する隆起部を有し、該隆起部において、該隆起部と一体成型されるように上向きに突出延在すると共に、孔部を有する口栓が形成され、該結合部は、該結合部の片側に一体成型される連結片を含み、該連結片の一端が、該結合部に連結され、他端が、前記口栓に着脱自在に取り付けられることができる前記キャップに連結され、
前記蓋体の天板部上には、キャップ固定部が形成され、前記キャップが、前記口栓から分離される状態で、該キャップ固定部に、着脱自在に固定されることができることを特徴とする口栓付き及びキャップ付きのコップ用使い捨て蓋。
【請求項２】
前記キャップ固定部は、前記天板部上に凹むように形成されるポケット部を含み、前記キャップが、該ポケット部内に着脱自在に固定収容されることができることを特徴とする請求項１に記載の口栓付き及びキャップ付きのコップ用使い捨て蓋。
【請求項３】
前記ポケット部の底部の周縁に、係止溝が、横向きに沿って凹設され、前記キャップが、該ポケット部内に収容される際に、該係止溝に係止されることを特徴とする請求項２に記載の口栓付き及びキャップ付きのコップ用使い捨て蓋。
【請求項４】
前記キャップの下端縁には、フランジ部が、横向きに沿って突設され、
前記キャップが前記ポケット部内に収容されると、該フランジ部が、前記係止溝に係合されることを特徴とする請求項３に記載の口栓付き及びキャップ付きのコップ用使い捨て蓋。
【請求項５】
前記キャップは、前記口栓の頂端を覆うための頂壁部と、該頂壁部の周縁を囲繞するように下向きに延在すると共に該口栓の外周面を取り囲む周壁部と、該頂壁部において凹設されると共に前記孔部を塞ぐための中栓と、を有することを特徴とする請求項４に記載の口栓付き及びキャップ付きのコップ用使い捨て蓋。
【請求項６】
前記周壁部において滑り止め部を有することを特徴とする請求項５に記載の口栓付き及びキャップ付きのコップ用使い捨て蓋。
【請求項７】
前記滑り止め部が、内側面へ凹む複数の凹溝あるいは複数の凸条によって構成されることを特徴とする請求項６に記載の口栓付き及びキャップ付きのコップ用使い捨て蓋。
【請求項８】
前記口栓はテーパ状管体であり、前記キャップの周壁部は、対応するテーパ状に形成されることを特徴とする請求項７に記載の口栓付き及びキャップ付きのコップ用使い捨て蓋。
【請求項９】
前記隆起部の内面側に、飲み物を収容する収容空間が形成され、該隆起部の上方側には、該隆起部と一体成型されるように、上向きに突出延在する漏斗部が形成され、
該漏斗部の内部には、漏斗室が形成され、該漏斗室と該収容空間は連通し、前記口栓の底端部と、該漏斗部の頂端部とが一体成型されるように連結され、
前記孔部が、該口栓を通して該漏斗室と連通することを特徴とする請求項１に記載の口栓付き及びキャップ付きのコップ用使い捨て蓋。
【考案の詳細な説明】
【技術分野】
【０００１】
本考案は、ドリンクコップの蓋に関し、特に、口栓付き及びキャップ付きのコップ用使い捨て蓋に関するものである。
【背景技術】
【０００２】
ストローは、飲料品を吸引する時によく使われている便利な道具であり、一方で、使用済みのストローが深刻な環境問題の一つにもなっており、それに加え、ストローを利用する際に、以下の問題を有する。その１、一般的の使い捨てストローは、キャップが付いていないため、飲料品を外部環境のバイ菌やホコリから保護することができない。その２、ストローの材料には、プラスチックや、ＰＬＡ樹脂、紙類、及びサトウキビの搾りかすなど様々な種類があるので、リサイクルする際の分別が非常に面倒であり、かつストローは中空構造体であるので、回収スペースの利用効率が低く、そのため、使用済みのストローのほとんどは、ゴミとして捨てられるので、環境への負担になっている。その３、ストローは、飲み物を封止するためのフィルム封止材を容易に突き刺すため、先端が尖った形を成すので、使用者や周りの人が怪我を受けるリスクがあった。他にも、ドリンクコップの開口を封止するフィルム封止材が薄くて軽いため、捨てられる際に飛び散りやすくて、排水口を詰まらせたり、動物が誤食したりする虞があったので、自然環境に悪影響を与える。
【０００３】
本出願人は、以前からインナーコップを備えるドリンクコップ（台湾実用新案第Ｍ５９３９９５号公報）を提案しており、当該ドリンクコップの蓋体は、該蓋体と一体成型されるように突出延在すると共に該蓋体の底部と連通する口栓と、該蓋体の周縁に形成された環状結合部とを有し、このような設計により、使用者は、ストローを使わずに、ドリンクとトッピングを同時に口栓から啜ることができる。しかしながら、上述した、蓋体上に一体成型される口栓には、保護や密封する構造が欠如しているので、持ち歩いている際に内部の飲料がこぼれたり、あるいは放置されている際に、外部環境のバイ菌やホコリにより汚染されたりする虞があった。
【考案の概要】
【考案が解決しようとする課題】
【０００４】
本考案は、前記の従来技術の欠点に鑑みてなされたものであり、ストローを使わずに、蓋単体のみで飲料を啜ることができ、かつ飲用しない時に口栓が覆われ、こぼれ防止と、バイ菌やホコリによる汚染から保護することができ、さらに、使用済みの蓋体と口栓とキャップとを一緒にリサイクルすることができる、口栓付き及びキャップ付きのコップ用使い捨て蓋を提供することを目的としている。
【課題を解決するための手段】
【０００５】
上記目的を達成するために、本考案は、
ドリンクコップの開口に被せるために用いられる、口栓付き及びキャップ付きのコップ用使い捨て蓋であって、蓋体とキャップを備え、
蓋体は、ドリンクコップの開口に対応する天板部と、該天板部の周縁に一体成形されるように下向きに延在する結合部とを含み、該天板部は、該天板部と一体成型されるように上向きに突出延在する隆起部を有し、該隆起部において、該隆起部と一体成型されるように上向きに突出延在すると共に、孔部を有する口栓が形成され、該結合部は、該結合部の片側に一体成型される連結片を含み、該連結片の一端が、該結合部に連結され、他端が、口栓に着脱自在に取り付けられることができるキャップに連結され、
蓋体の天板部上に、キャップ固定部が形成され、キャップが、口栓から分離される状態で、該キャップ固定部に、着脱自在に固定されることができることを特徴とする。
【０００６】
キャップ固定部は、天板部上に凹むように形成されるポケット部を含み、キャップが、該ポケット部内に着脱自在に固定収容されることができることを特徴とする。
【０００７】
ポケット部の底部の周縁に、係止溝が、横向きに沿って凹設され、キャップが、該ポケット部内に収容される際に、該係止溝に係止されることを特徴とする。
【０００８】
キャップの下端縁に、フランジ部が、横向きに沿って突設され、該キャップが、ポケット部内に収容されると、該フランジ部が、係止溝に係合されることを特徴とする。
【０００９】
キャップは、口栓の頂端を覆うための頂壁部と、該頂壁部の周縁を囲繞するように下向きに延在すると共に該口栓の外周面を取り囲む周壁部と、該頂壁部において凹設されると共に孔部を塞ぐための中栓とを有することを特徴とする。
【００１０】
周壁部において滑り止め部を有することを特徴とする。
【００１１】
滑り止め部が、内側面へ凹む複数の凹溝あるいは複数の凸条によって構成されることを特徴とする。
【００１２】
口栓はテーパ状管体であり、キャップの周壁部は、対応するテーパ状に形成されることを特徴とする。
【００１３】
隆起部の内面側に、飲み物を収容する収容空間が形成され、該隆起部の上方側に、該隆起部と一体成型されるように、上向きに突出延在する漏斗部が形成され、該漏斗部の内部に、漏斗室が形成され、該漏斗室と該収容空間は連通し、口栓の底端部と、該漏斗部の頂端部とが一体成型されるように連結され、孔部が、該口栓を通して該漏斗室と連通することを特徴とする。
【考案の効果】
【００１４】
上記の技術手段によれば、本考案に係る口栓付き及びキャップ付きのコップ用使い捨て蓋は、少なくとも以下に示す優れた点と効果を有する。
１、蓋体上の口栓が一定の長さを有することから、使用者は、一般的なストローを使う時の吸い方と似たような感覚で飲料品を啜ることができ、かつ、従来において、ストローとフィルム封止材は別々なものであることから、ストローとフィルム封止材を捨てる際に、散らばりやすく、別々にリサイクルするのに手間を要するため、ストローとフィルム封止材を使わずに、一つの蓋単体にまとめることにより、簡単にリサイクル回収処理することができ、環境に優しい。
２、生産する際に、蓋体とキャップと連結片とは、同じ材料で一体成型されることから、余計な原材料や生産工程を追加することなく、生産性に優れ、かつ一緒にリサイクルすることができるので、回収作業の手間を省くことができる。
３、キャップを備えることにより、飲用しない時に、口栓を覆い、飲料品がバイ菌やホコリに汚染されるのを防ぐことができ、さらに、キャップの内に中栓が設けられることにより、コップを持ち運ぶ際やコップが転倒した時に、飲料がこぼれたり、漏れたりすることを防止することができる。
４、蓋体上にキャップ固定部が設けられることにより、飲用時は、キャップが該キャップ固定部に嵌合係止されることができるので、バイ菌やホコリなどの外部汚染物が、キャップ内部に入り込んで汚染することが防止され、かつキャップが揺れ動くことがないので、飲用時の邪魔となることもない。
５、キャップの周壁部において、内側面へ凹む複数の凹溝あるいは凸条が設けられることにより、キャップの構造を強化すると共に、滑り止め部として、キャップを取り持つ使用者の手が滑りにくくする効果がある。
６、漏斗室が設けられることにより、ドリンクのトッピングをより容易に口栓へ集中させることができる。
７、蓋体の天板部に、上向きに突出延在する隆起部が設けられることにより、飲用時に、隆起部において設置されている口栓を咥える使用者の顔と、キャップ固定部に嵌合係止されているキャップとの間の距離が長くとらえているので、キャップが顔に触れることが避けられる。
【図面の簡単な説明】
【００１５】
【図１】本考案の好適な実施例の斜視図である。
【図２】本考案の好適な実施例の平面図である。
【図３】本考案において、キャップを口栓に被せる状態を示す斜視図である。
【図４】本考案において、キャップを口栓に被せる状態を示す局部側面断面図である。
【図５】本考案において、キャップがキャップ固定部に嵌合係止される状態を示す斜視図である。
【図６】本考案において、キャップがキャップ固定部に嵌合係止される状態を示す側面断面図である。
【図７】本考案に係る口栓付き及びキャップ付きのコップ用使い捨て蓋とインナーコップとを組み合わせて、トッピングを含むドリンクを飲用する状態を示す模式図である。
【考案を実施するための形態】
【００１６】
本考案の技術特徴及び実用効果を詳しく理解し、且つ明細書の内容に基づいて実現できるように、以下では、図面に示す好適な実施例により詳細に説明する。
【００１７】
図１及び図２に示すように、本考案の口栓付き及びキャップ付きのコップ用使い捨て蓋は、ドリンクコップの開口を覆うように結合されるために用いられると共に、蓋体１０とキャップ２０を備える。好適な実施例においては、前記蓋体１０は、リサイクル可能な食品容器用プラスチックからなる円形の蓋であることが好ましい。前記蓋体１０は、ドリンクコップの開口を被る天板部１１と、該天板部１１の周縁に一体成形されるように下向きに延在する結合部１２とを含み、該天板部１１は、該天板部１１と一体成型されるように上向きに突出延在する隆起部１３を有し、該隆起部１３の内面側に、飲み物を収容する収容空間１４が形成され、該隆起部１３上に、該隆起部１３と一体成型されるように上向きに突出延在すると共に、頂部に孔部１５１が設けられる口栓１５が形成され、該孔部１５１が、該口栓１５を通して、該収容空間１４と連通している。前記結合部１２は、該結合部１２の片側に一体成型される連結片１６を含み、該連結片１６は、他の原材料や生産工程を追加することなく、前記蓋体１０と同じ材料で一体成型されるように作られると共に、その一端が、該結合部１２に連結され、他端が、前記口栓１５に着脱自在に取り付けられることができる前記キャップ２０に連結される。
【００１８】
前記キャップ２０は、前記口栓１５に着脱自在に取り付けられると共に、前記口栓１５の頂端を覆うための頂壁部２１と、該頂壁部２１の周縁を囲繞するように下向きに延在すると共に該口栓１５の外周面を取り囲む周壁部２２と、該頂壁部２１上に凹設されると共に前記孔部１５１を塞ぐための中栓２３とを有する。図３及び図４に示すように、前記キャップ２０が前記口栓１５に取り付けられている状態で、前記頂壁部２１と周壁部２２により、前記口栓１５の頂端と外周面が覆われていることで、バイ菌やウイルス、ホコリなどの汚染物に汚染されることを防ぐことができ、かつ前記中栓２３が、該口栓１５頂端の孔部１５１を塞いでいることで、当該ドリンクコップを持ち運ぶ際やドリンクコップが転倒した時に、飲料がこぼれたり、漏れたりすることを防止する。
【００１９】
図１、図５及び図６に示すように、前記蓋体１０の天板部１１に、前記キャップ２０が着脱自在に固定されることができるキャップ固定部３０が設けられ、このような設計によれば、ドリンクを飲用する際、使用者は該キャップ２０を前記口栓１５から取り外して、該キャップ固定部３０に固定されることができ、これにより、該キャップ２０と連結片１６が揺れ動かなくなるので、飲用時の邪魔になることを回避できる。
【００２０】
尚、前記キャップ固定部３０の好適な実施形態の一つにおいては、該キャップ固定部３０は、ポケット部３１を含むことが好ましい。前記ポケット部３１が、前記キャップ２０を着脱自在に収容することができる前記天板部１１上に凹むように形成され、さらに、該ポケット部３１の底部の周縁に、係止溝３２が、横向きに沿って凹設されることが好ましい。その結果、前記キャップ２０が、前記ポケット部３１内に収容されると、前記係止溝３２に係止されているため、簡単に落ちることを防止できる。さらに具体的に述べると、前記キャップ２０の下端縁に、横向きに沿って突出するフランジ部２４が設けられ、該キャップ２０が、前記ポケット部３１内に収容されている際に、該フランジ部２４が、前記係止溝３２に係合されることができるので（図６を参照）、該キャップ２０が、該ポケット部３２内に安定して固定されることを確保する。一方で、飲用しない時は、前記キャップ２０を簡単に前記キャップ固定部３０から取り外して、再び前記口栓１５に取り付けられることができる（図３及び図４を参照）。
【００２１】
図１に示すように、本考案の好適な実施例における口栓１５はテーパ状管体を呈し、これに対して、前記キャップ２０を、該口栓１５に密着させるように取り付けるため、該キャップ２０の周壁部２２が、対応するテーパ状に形成される。さらに、前記キャップ２０の周壁部２２上に、内側面へ凹む複数の凹溝２５１あるいは複数の凸条によって構成される滑り止め部２５が設けられることが好ましく、該滑り止め部２５の設置により、該キャップ２０の構造強度を向上させるだけでなく、キャップ２０を取り持つ使用者の手を滑りにくくする効果をもたらす。
【００２２】
図１及び図４に示すように、前記隆起部１３の上方側に、該隆起部１３と一体成型されるように、上向きに突出延在する漏斗部１７が形成され、該漏斗部１７の内部に、漏斗室１７１が形成される。詳しく述べると、本考案の蓋体１０の裏側から見れば、前記漏斗室１７１がラッパ状を呈するように、前記収容空間１４と連通しており、前記口栓１５の底端部と、該漏斗部１７の頂端部とは、一体成型されるように連結され、前記孔部１５１が、該口栓１５を通して該漏斗室１７１と連通しており、該漏斗部１７と漏斗室１７１の設計により、ドリンクのトッピング（例えば、タピオカなど）をより容易に該口栓１５へ集中させることができる。
【００２３】
図７は、本出願人以前提案したインナーコップ４０と、本考案のコップ用の蓋と一緒に組み合わせた状態で、トッピング６０（タピオカ）入りドリンクを飲用する実施例を示すものであり、当該インナーコップ４０の下部は、複数の細長いリブ４１によって構成され、このような構成により、液体が容易に流通できると共に、固形トッピング６０を保つことができ、かつ該インナーコップ４０と固形トッピング６０との接触面積を減少することができるので、飲用時にトッピング６０が該インナーコップ４０に付着するのを防ぐ。飲用する時、使用者は口栓１５を口に咥えながら、口栓１５が下方に位置するようにドリンクコップ５０を傾けると、インナーコップ４０内に保てられている固形トッピング６０が、液体飲料と一緒に漏斗部１７の漏斗室１７１へ流入するように集中され、すると、通常のストローを使う時の吸い方と似たような感覚で飲料品を啜れば、ストローを使わずに、蓋単体だけでトッピング入りドリンクを飲用することができる。
【００２４】
以上の説明は、本考案の好適な実施形態に過ぎず、本考案に対して何ら限定を行うものではない。本考案について、比較的好適な実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００２５】
１０    蓋体
１１    天板部
１２    結合部
１３    隆起部
１４    収容空間
１５    口栓
１５１  孔部
１６    連結片
１７    漏斗部
１７１  漏斗室
２０    キャップ
２１    頂壁部
２２    周壁部
２３    中栓
２４    フランジ部
２５    滑り止め部
２５１  凹溝
３０    キャップ固定部
３１    ポケット部
３２    係止溝
４０    インナーコップ
４１    リブ
５０    ドリンクコップ
６０    トッピング
【図１】
0003231264.tif 000003
【図２】
0003231264.tif 000004
【図３】
0003231264.tif 000005
【図４】
0003231264.tif 000006
【図５】
0003231264.tif 000007
【図６】
0003231264.tif 000008
【図７】
0003231264.tif 000009